(57)【要約】      （修正有）【課題】吸着質を低相対蒸気圧域で吸脱着しうる吸着ヒートポンプ、車両用空調装置、除湿空調装置、及び吸着材の使用方法の提供。【解決手段】吸着質と吸着質を吸脱着する吸着材を備えた吸脱着部１，２と該吸脱着部に連結された吸着質の蒸発を行う蒸発部４と該吸脱着部に連結された吸着質の凝縮を行う凝縮部５とを備え、１００℃以下の熱源で駆動する吸着ヒートポンプにおいて、該吸着材がＡ）フレームワーク密度が１０．０Ｔ／１，０００Å３以上１６．０Ｔ／１，０００Å３以下、Ｂ）細孔径が３Å以上１０Å以下、Ｃ）微分吸着熱が４０kJ/mol以上６５kJ/mol以下、であるゼオライトであり、該ゼオライトが、骨格構造にアルミニウムとリンを含み、かつ相対蒸気圧０．０５以上０．３０以下の範囲に、相対蒸気圧が０．１５変化したときに水の吸着量変化が０．１８ｇ／ｇ以上である相対蒸気圧域を有する吸着材であることを特徴とする吸着ヒートポンプ。【選択図】図１
2008275309.tif 000002
【特許請求の範囲】
【請求項１】
吸着質と、吸着質を吸脱着する吸着材を備えた吸脱着部と、該吸脱着部に連結された吸着質の蒸発を行う蒸発部と、該吸脱着部に連結された吸着質の凝縮を行う凝縮部とを備え、１００℃以下の熱源で駆動する吸着ヒートポンプにおいて、該吸着材がＡ）フレームワーク密度が１０．０Ｔ／１，０００Å3以上１６．０Ｔ／１，０００Å3以下、Ｂ）細孔径が３Å以上１０Å以下、Ｃ）微分吸着熱が４０kJ/mol以上６５kJ/mol以下、であるゼオライトであり、該ゼオライトが、骨格構造にアルミニウムとリンを含み、かつ、相対蒸気圧０．０５以上０．３０以下の範囲に、相対蒸気圧が０．１５変化したときに水の吸着量変化が０．１８ｇ／ｇ以上である相対蒸気圧域を有する吸着材であることを特徴とする吸着ヒートポンプ。
【請求項２】
該吸着材のＡ）フレームワーク密度が１０．０Ｔ／１，０００Å3以上１５．０Ｔ／１，０００Å3以下である請求項１に記載の吸着ヒートポンプ。
【請求項３】
吸着材が、相対蒸気圧０．０５での吸着量が０．０５ｇ／ｇ以下である請求項１又は２に記載の吸着ヒートポンプ。
【請求項４】
該ゼオライトがアルミノフォスフェートである請求項１〜３のいずれか１項に記載の吸着ヒートポンプ。
【請求項５】
該ゼオライトがＣＨＡ型又はＡＥＩ型である請求項１〜４のいずれか１項に記載の吸着ヒートポンプ。
【請求項６】
請求項１〜５のいずれか１項に記載の吸着ヒートポンプを車両室内の空調に使用することを特徴とする車両用空調装置。
【請求項７】
吸着材により水分が吸着される処理空気の経路と、１００℃以下の加熱源によって加熱された後、前記水分吸着後の吸着材中の水分を脱着して再生する再生空気の経路とを有する除湿空調装置において、該吸着材がＡ）フレームワーク密度が１０．０Ｔ／１，０００Å3以上１６．０Ｔ／１，０００Å3以下、Ｂ）細孔径が３Å以上１０Å以下、Ｃ）微分吸着熱が４０kJ/mol以上６５kJ/mol以下であるゼオライトであり、該ゼオライトが、骨格構造にアルミニウムとリンを含み、かつ、相対蒸気圧０．０５以上０．３０以下の範囲に、相対蒸気圧が０．１５変化したときに水の吸着量変化が０．１８ｇ／ｇ以上である相対蒸気圧域を有する吸着材であることを特徴とする除湿空調装置。
【請求項８】
該吸着材のＡ）フレームワーク密度が１０．０Ｔ／１，０００Å3以上１５．０Ｔ／１，０００Å3以下である請求項７に記載の除湿空調装置。
【請求項９】
吸着材が、相対蒸気圧０．０５での吸着量が０．０５ｇ／ｇ以下である請求項７又は８に記載の除湿空調装置。
【請求項１０】
該ゼオライトがアルミノフォスフェートである請求項７〜９のいずれか１項に記載の除湿空調装置。
【請求項１１】
該ゼオライトがＣＨＡ型又はＡＥＩ型である請求項７〜１０のいずれか１項に記載の除湿空調装置。
【請求項１２】
１００℃以下の熱源で吸着材を加熱して吸着質を脱着させ、乾燥した吸着材を吸着質の吸着に使用する温度まで冷却して再度吸着質の吸着に使用する吸着材の使用方法において、該吸着材がＡ）フレームワーク密度が１０．０Ｔ／１，０００Å3以上１６．０Ｔ／１，０００Å3以下、Ｂ）細孔径が３Å以上１０Å以下、Ｃ）微分吸着熱が４０kＪ/mol以上６５kＪ/mol以下、であるゼオライトであり、該ゼオライトが、骨格構造にアルミニウムとリンを含み、かつ、相対蒸気圧０．０５以上０．３０以下の範囲に、相対蒸気圧が０．１５変化したときに水の吸着量変化が０．１８ｇ／ｇ以上である相対蒸気圧域を有する吸着材であることを特徴とする吸着材の使用方法。
【請求項１３】
該吸着材のＡ）フレームワーク密度が１０．０Ｔ／１，０００Å3以上１５．０Ｔ／１，０００Å3以下である請求項１２に記載の吸着材の使用方法。
【請求項１４】
吸着材が、相対蒸気圧０．０５での吸着量が０．０５ｇ／ｇ以下である請求項１２又は１３に記載の吸着材の使用方法。
【請求項１５】
該ゼオライトがアルミノフォスフェートである請求項１２〜１４のいずれか１項に記載の吸着材の使用方法。
【請求項１６】
該ゼオライトがＣＨＡ型又はＡＥＩ型である請求項１２〜１５のいずれか１項に記載の吸着材の使用方法。
【発明の詳細な説明】
【技術分野】
【０００１】
本発明は、特定の吸着材を用いた吸着ヒートポンプ、該吸着材を用いた車両用空調装置、該吸着材を用いた除湿空調装置、及び該吸着材の使用方法に関する。
【背景技術】
【０００２】
吸着ヒートポンプや除湿空調装置においては、吸着質、例えば水を吸着した吸着材を再生するために、吸着材を加熱して吸着質を脱着させ、乾燥した吸着材を吸着質の吸着に使用する温度まで冷却して再度吸着質の吸着に使用する。
比較的高温（１２０℃以上）の排熱、温熱を、吸着材の再生熱源として利用する吸収式ヒートポンプが既に実用化されている。しかし一般にコジェネレーション機器、燃料電池、自動車エンジンの冷却水や太陽熱などによって得られる熱は１００℃以下と比較的低温であるため、現在実用化されている吸収式ヒートポンプの駆動熱源としては利用できず、１００℃以下、更には６０℃〜８０℃の低温排熱の有効利用が求められていた。
【０００３】
また、吸着ヒートポンプの動作原理は同じでも利用可能な熱源温度によって吸着材に求められる吸着特性が大きく異なる。例えば、高温側の熱源として用いられるガスエンジンコージェネレーションや固体高分子型燃料電池の排熱温度は６０℃〜８０℃であり、自動車エンジンの冷却水の温度は８５℃〜９０℃である。そして冷却側の熱源温度も装置の設置場所によって異なる。例えば自動車の場合はラジエターで得られる温度であり、ビルや住宅などでは水冷塔や河川水などの温度である。つまり、吸着ヒートポンプの操作温度範囲は、ビルなどに設置する場合には低温側が２５℃〜３５℃、高温側が６０℃〜８０℃、自動車などに設置する場合には低温側が３０℃〜４０℃、高温側が８５℃〜９０℃程度である。このように、排熱を有効利用するためには、低温側熱源と高温側熱源の温度差が小さくても駆動できる装置が望まれている。
【０００４】
吸着材の周囲が比較的高い温度でも装置が充分に作動するためには、吸着質を低相対蒸気圧で吸着させる必要があり、また使用する吸着材を少量にして装置を小型化するためには吸着材の吸脱着量が多い必要がある。そして吸着質の脱着（吸着材の再生）に低温の熱源を利用するためには脱着温度が低い必要がある。すなわち吸着ヒートポンプまたは除湿空調装置に用いる吸着材として（１）吸着質を低い相対蒸気圧で吸着し（高温で吸着可能）、（２）吸脱着量が多く、（３）吸着質を高い相対蒸気圧で脱着（低温で脱着可能）する吸着材が望まれている。
【０００５】
吸着ヒートポンプ用の吸着材としては、一般的にシリカゲルと低シリカアルミナ比のゼオライトが用いられてきた。しかし、従来吸着ヒートポンプに利用されてきた吸着材は、比較的低温の熱源を吸着ヒートポンプの駆動源として利用するには吸脱着能力が不十分であった。
例えば、吸着ヒートポンプ用のゼオライトの代表例として１３Ｘの水蒸気吸着等温線を考えると、相対蒸気圧０．０５以下で急激に吸着され、０．０５より高い相対蒸気圧域ではゼオライトの水蒸気吸着量は変化しない。吸着剤を再生する際には、周囲の気体の相対湿度を低下させて一度吸着した水分を脱着して除くが、ゼオライト１３Ｘに吸着された水を脱着するには相対蒸気圧を下げる必要があるため、１５０℃〜２００℃の熱源が必要であると言われている。
【０００６】
またヒートポンプ用吸着剤として界面活性剤のミセル構造を鋳型として合成したメソポーラスモレキュラーシーブ（ＦＳＭ−１０など）（特許文献１）が、又、デシカント用に通称ＡｌＰＯ４と称される多孔質リン酸アルミニウム系モレキュラーシーブ（特許文献２）が検討されている。メソポーラスモレキュラーシーブ（ＦＳＭ−１０）は相対蒸気圧０．２０と０．３５の範囲で吸着量差は０．２５ｇ／ｇと大きく、有望な素材である（特許文献１：図１４のグラフ４；ＦＳＭ−１０）。しかし、比較的低い相対蒸気圧の範囲では吸着量が小さく、吸着量変化が大きい相対蒸気圧の範囲においても吸着量差が小さく、吸着ヒートポンプの性能は不十分である。また、繰り返し使用すると構造が崩れ、吸着材としての機能が低下することが指摘されており、耐久性が課題となっている。
【特許文献１】特開平９−１７８２９２号公報
【特許文献２】特開平１１−１９７４３９号公報
【発明の開示】
【発明が解決しようとする課題】
【０００７】
本発明は吸着質を低相対蒸気圧域で吸脱着しうる吸着材を用いた、効率の良い吸着ヒートポンプ、車両用空調装置、除湿空調装置及び吸着材の使用方法の提供を目的としてなされたものである。
【課題を解決するための手段】
【０００８】
本発明者らは、上記の課題を解決するために鋭意検討した結果、フレームワーク密度、細孔径及び吸着熱が特定の範囲のゼオライトを吸着剤とした吸着ヒートポンプまたは該吸着剤を用いた除湿空調装置、車両用空調装置、及び吸着材の使用方法が本発明の目的を達成することを見い出した。
【０００９】
すなわち本発明の要旨は、吸着質と、吸着質を吸脱着する吸着材を備えた吸脱着部と、該吸脱着部に連結された吸着質の蒸発を行う蒸発部と、該吸脱着部に連結された吸着質の凝縮を行う凝縮部とを備え、１００℃以下の熱源で駆動する吸着ヒートポンプにおいて、該吸着材が
Ａ）フレームワーク密度が１０．０Ｔ／１，０００Å３以上１６．０Ｔ／１，０００Å３以下、
Ｂ）細孔径が３Å以上１０Å以下、
Ｃ）微分吸着熱が４０kJ/mol以上６５kJ/mol以下、
であるゼオライトであり、該ゼオライトが、骨格構造にアルミニウムとリンを含み、かつ、相対蒸気圧０．０５以上０．３０以下の範囲に、相対蒸気圧が０．１５変化したときに水の吸着量変化が０．１８ｇ／ｇ以上である相対蒸気圧域を有する吸着材であることを特徴とする吸着ヒートポンプに存する。他の要旨は、上記吸着ヒートポンプを車両室内の空調に使用することを特徴とする車両用空調装置に存する。さらに他の要旨は、吸着材により水分が吸着される処理空気の経路と、１００℃以下の加熱源によって加熱された後、前記水分吸着後の吸着材中の水分を脱着して再生する再生空気の経路とを有する除湿空調装置において、該吸着材がＡ）フレームワーク密度が１０．０Ｔ／１，０００Å3以上１６．０Ｔ／１，０００Å3以下、Ｂ）細孔径が３Å以上１０Å以下、Ｃ）微分吸着熱が４０kJ/mol以上６５kJ/mol以下、であるゼオライトであり、該ゼオライトが、骨格構造にアルミニウムとリンを含み、かつ、相対蒸気圧０．０５以上０．３０以下の範囲に、相対蒸気圧が０．１５変化したときに水の吸着量変化が０．１８ｇ／ｇ以上である相対蒸気圧域を有する吸着材であることを特徴とする除湿空調装置に存する。さらに他の要旨は、１００℃以下の熱源で吸着材を加熱して吸着質を脱着させ、乾燥した吸着材を吸着質の吸着に使用する温度まで冷却して再度吸着質の吸着に使用する吸着材の使用方法において、該吸着材がＡ）フレームワーク密度が１０．０Ｔ／１，０００Å3以上１６．０Ｔ／１，０００Å3以下、Ｂ）細孔径が３Å以上１０Å以下、かつＣ）微分吸着熱が４０kＪ/mol以上６５kＪ/mol以下、であるゼオライトであり、該ゼオライトが、骨格構造にアルミニウムとリンを含み、かつ、相対蒸気圧０．０５以上０．３０以下の範囲に、相対蒸気圧が０．１５変化したときに水の吸着量変化が０．１８ｇ／ｇ以上である相対蒸気圧域を有する吸着材であることを特徴とする吸着材の使用方法に存する。
【発明の効果】
【００１０】
本発明で用いる吸着材は、従来のシリカゲルやゼオライトと比較して同じ相対蒸気圧範囲において吸着量がより多く変化するため、ほぼ同じ重量の吸着材を用いてより多くの除湿効果を発生できる。
更に、本発明の、比較的低い相対蒸気圧の範囲で大きな吸脱着量変化を示す吸着材を利用した吸着ヒートポンプまたは除湿空調装置は、吸着材の吸脱着による水分吸着量の差が大きく、低温度で吸着材の再生（脱着）が可能になるため、従来に比べて低温の熱源を利用して、効率よく吸着ヒートポンプまたは除湿空調装置を駆動することができる。すなわち、本発明の吸着材によれば、１００℃以下の比較的低温の熱源で駆動する吸着ヒートポンプおよび除湿空調装置を提供できる。
【発明を実施するための最良の形態】
【００１１】
以下、本発明について更に詳細に説明する。
吸着ヒートポンプの操作蒸気圧範囲は、次式で求められる脱着側相対蒸気圧φ１と吸着側相対蒸気圧φ２によって決定され、φ１とφ２との間が操作可能な相対蒸気圧範囲である。
【００１２】
脱着側相対蒸気圧φ１＝平衡蒸気圧（Ｔｌｏｗ１）／平衡蒸気圧（Ｔｈｉｇｈ）
吸着側相対蒸気圧φ２＝平衡蒸気圧（Ｔｃｏｏｌ）／平衡蒸気圧（Ｔｌｏｗ２）
ここで、高温熱源温度Ｔｈｉｇｈは吸着材から吸着質を脱着して吸着材を再生する際に加熱する熱媒の温度を、低温熱源温度Ｔｌｏｗ１は凝縮部の吸着質の温度を、低温熱源温度Ｔｌｏｗ２は再生後の吸着材を吸着に共する際に冷却する熱媒の温度を、冷熱生成温度Ｔｃｏｏｌは蒸発部の吸着質の温度すなわち生成した冷熱の温度を、意味する。なお、平衡蒸気圧は吸着質の平衡蒸気圧曲線を用いて、温度から求めることができる。
【００１３】
以下、吸着質が水である場合の操作蒸気圧範囲を例示する。高温熱源温度８０℃、低温熱源温度３０℃の場合、操作蒸気圧範囲はφ１〜φ２＝０．０９〜０．２９である。同様に高温熱源温度が６０℃の場合、操作相対水蒸気圧範囲はφ１〜φ２＝０．２１〜０．２９である。また、自動車エンジンの排熱を利用して吸着ヒートポンプを駆動する場合については特開２０００−１４０６２５号に詳細に記載されている。この報告を基に推算すると、高温熱源温度約９０℃、低温熱源温度３０℃である。この場合、操作相対水蒸気圧範囲はφ１〜φ２＝０．０６〜０．２９である。
【００１４】
以上より、ガスエンジンコージェネレーション、固体高分子型燃料電池または自動車エンジンの排熱を利用して吸着ヒートポンプを駆動する場合、操作相対水蒸気圧範囲はφ１〜φ２＝０．０５〜０．３０、さらに限定すればφ１〜φ２＝０．０６〜０．２９となると考えられる。つまり、加熱によって相対水蒸気圧を下げて吸着材の再生する際に、相対水蒸気圧が０．０５、好ましくは０．０６以上の範囲で脱着が完了しなければならない。一方、吸着という点では、相対蒸気圧０．３０、好ましくは０．２９以下の範囲で充分な吸着量が得られなければならない。つまり、この操作湿度範囲の中で吸着量の変化が大きい材料が好ましい。したがって通常は相対蒸気圧０．０５〜０．３０の範囲において、好ましくは０．０６〜０．２９の範囲において吸着量が大きく変化する材料が好ましい。
【００１５】
例えば吸着ヒートポンプにより、５．０ｋＷ（＝１８，０００ｋJ）の冷房能力を得る場合について想定する。ここで、５．０ｋＷは木造南向き和室１６畳程度、または一般的な自動車のエアコンに使用されるエアコンの冷房能力である。水の蒸発潜熱量は約２５００ｋJ／ｋｇであり、吸脱着の切り替えサイクルを１０分（６回／時間）とすると、吸着量が０．１８ｇ／ｇである場合、吸着材は６．７ｋｇ必要となる。吸着材必要量Ｘｋｇ＝１８０００ｋＪ／（２５００ｋＪ×０．１８ｋｇ／ｋｇ×６回／ｈｒ）＝６．７ｋｇ。同様に吸着量が０．１５ｇ／ｇであると８ｋｇ必要となる。また、切り替えサイクルが６分（１０回／時間）となると０．１８ｇ／ｇである場合４．０ｋｇ、０．１５ｇ／ｇである場合４．８ｋｇとなる。吸着量は多い程良いが、車両、例えば自動車など、吸着ヒートポンプの大きさが限られたに搭載するには吸着材の重量および容積は少ない程良い。この相反する要求を両立させるためには吸着量を増すことが必要であり、吸着量が０．１８ｇ／ｇ以上、さらには０．２０ｇ／ｇ以上の吸着材が好ましいと考えられる。
【００１６】
ここで、吸着ヒートポンプや除湿空調装置は、吸着材が吸着質を吸脱着する能力を駆動源として利用している。除湿空調装置においては処理空気中の水分が吸着質である。吸着ヒートポンプにおいては吸着質である吸着質として、水、エタノールおよびアセトンなどが使用できるが、中でも安全性、価格、蒸発潜熱の大きさから、水が最も好ましい。吸着質は蒸気として吸着材に吸着されるが、吸着材は、狭い相対蒸気圧範囲で吸着量の変化が大きい材料が好ましい。狭い相対蒸気圧範囲で吸着量の変化が大きいと、同じ条件で同等の吸着量を得るために必要な吸着材の量を減らし、冷却熱源と加熱熱源の温度差が小さくても吸着ヒートポンプを駆動できるからである。
【００１７】
以下、本発明の吸着ヒートポンプに用いられる吸着剤（以下、本発明の吸着剤ということがある。）について説明する。
本発明では吸着材としてゼオライトを用いるが、そのフレームワーク密度は１０．０Ｔ／１，０００Å３以上１６．０Ｔ／１，０００Å３以下、好ましくは１０．０Ｔ／１，０００Å３以上１５．０Ｔ／１，０００Å３以下である。ここでフレームワーク密度とは、ゼオライトの１，０００Å３あたりの酸素以外の骨格を構成する元素の数を意味し、この値はゼオライトの構造により決まるものである。
【００１８】
即ち、フレームワーク密度は細孔容量と相関があり、一般的に、より小さいフレームワーク密度のゼオライトがより大きい細孔容量を有し、したがって吸着容量が大きくなる。フレームワーク密度が１６．０Ｔ／１，０００Å３より大きいと吸着可能な細孔容積が小さくなり、吸着量が不十分となるため吸着ヒートポンプおよび除湿空調装置の吸着材として適さない。一方、フレームワーク密度が１０．０Ｔ／１，０００Å３より小さいと吸着可能な細孔容積は大きくなるが物質の密度が小さくなるため好ましくない。
【００１９】
尚、ＩＺＡのAtlas  Of  Zeolite  Structure  Types  (1996,  ELSEVIER)に構造とフレームワーク密度の関係、細孔径が記載されている。
上記フレームワーク密度を満たすゼオライトの構造としては、ＩＺＡが定めるコードで示すと、ＡＦＧ、ＭＥＲ、ＬＩＯ、ＬＯＳ、ＰＨＩ、ＢＯＧ、ＥＲＩ、ＯＦＦ、ＰＡＵ、ＥＡＢ、ＡＦＴ、ＬＥＶ、ＬＴＮ、ＡＥＩ、ＡＦＲ、ＡＦＸ、ＧＩＳ、ＫＦＩ、ＣＨＡ、ＧＭＥ、ＴＨＯ、ＭＥＩ、ＶＦＩ、ＡＦＳ、ＬＴＡ、ＦＡＵ、ＲＨＯ、ＤＦＯ、ＥＭＴ、ＡＦＹ、＊ＢＥＡ等があり、好ましくはＡＥＩ、ＧＩＳ、ＫＦＩ、ＣＨＡ、ＧＭＥ、ＶＦＩ、ＡＦＳ、ＬＴＡ、ＦＡＵ、ＲＨＯ、ＥＭＴ、ＡＦＹ、＊ＢＥＡが挙げられる。
【００２０】
又、ゼオライトの構造は、International  Zeolite  Association(IZA)が定めるゼオライト構造においてＣＨＡ構造、ＡＥＩ構造又はＥＲＩ構造を有するゼオライトが好ましい。尚、ゼオライトの構造は粉末ＸＲＤ（粉末Ｘ線回折によりＸＲＤパターンを測定し、Ｃｏｌｌｅｃｔｉｏｎ  ｏｆ  Ｓｉｍｕｌａｔｅｄ  ＸＲＤ  Ｐｏｗｄｅｒ  Ｐａｔｔｅｒｎｓ  Ｆｏｒ  Ｚｅｏｌｉｔｅ（１９９６，ＥＬＳＥＶＩＥＲ）に記載されたＸＲＤパターンと比較して決定する。
【００２１】
尚、上記例示に限らず、フレームワーク密度がこの領域内にあれば、本発明においての吸着材として好適に使用できると考えられる。
本発明の吸着材の細孔径は３Å以上１０Å以下である。中でも、３Å以上、８Å以下が好ましく、３Å以上、７．５Å以下が好ましい。細孔径が１０Åより大きいと目的とする相対湿度で吸着が起こらなくなるため不適であり、細孔径が３Åより小さいと吸着質である水分子が吸着材に拡散しにくくなり不適である。特に、骨格構造にアルミニウムとリンを含むゼオライト、更には、疎水性を示し、ＡＬＰＯと称されるアルミノフォスフェートにおいて、この傾向が顕著である。
【００２２】
更に、本発明の吸着材は微分吸着熱が４０ｋＪ／ｍｏｌ以上６５ｋＪ／ｍｏｌ以下である。即ち、１００℃以下の熱源で脱着する必要がある吸着ヒートポンプ及び除湿空調装置の吸着材では脱着しやすいことも重要な特性である。脱着しやすさは吸着力と反比例する。よって、吸着の度合いを示す指標である吸着熱は水の凝縮潜熱に近いことが望ましく、またこれ以上小さくなることはなく、４０ｋＪ／ｍｏｌ以上である。又、我々の検討によれば、微分吸着熱が６５kJ/molより大きいと１００℃以下の熱源で脱着することが困難となる。よって、水の凝縮潜熱以上、６５kJ/mol以下の微分吸着熱を示すゼオライトが好ましい。微分吸着熱は、異なる温度で吸着等温線を測定し、クラジウス−クラペイロンの式から算出する。今回は２５℃と４０℃の二温度で吸着等温線を測定し、その結果から微分吸着熱を算出する方法を採用した。
【００２３】
本発明の吸着材は上記三条件を同時に満たすことが必要で、一つでも条件を満たさない材料は本発明の目的には適さない。
本発明の吸着材であるゼオライトは、骨格構造にアルミニウムとリンを含むのが好ましい。ここでいうゼオライトは天然のゼオライトでも人工のゼオライトでもよく、例えば人工のゼオライトではInternational  Zeolite  Association  (ＩＺＡ)の規定によるアルミノフォスフェート類が含まれる。通称ＡＬＰＯと称されアルミノフォスフェートが特に好ましい。
【００２４】
本発明で用いる特に好ましい吸着材の具体例としてＡＬＰＯ−３４、ＡＬＰＯ−１８、ＡＬＰＯ−１７が挙げられ、前二者が特に好ましい。ＡＬＰＯ−３４はＣＨＡ型（フレームワーク密度＝１４．６Ｔ／１，０００Å３、細孔径３．８×３．８Å）のゼオライト、ＡＬＰＯ−１８はＡＥＩ型（フレームワーク密度＝１４．８Ｔ／１，０００Å３、細孔径３．８×３．８Å）のゼオライト、ＡＬＰＯ−１７はＥＲＩ型（フレームワーク密度＝１５．７Ｔ／１０００Å３細孔径３．６×５．１Å）のゼオライトである。
【００２５】
更に、本発明で用いる吸着材は、相対蒸気圧０．０５以上０．３０以下の範囲に、相対蒸気圧が０．１５変化したときに水の吸着量変化が０．１８ｇ／ｇ以上、好ましくは０．２０ｇ／ｇ以上である相対蒸気圧領域を有する吸着材であり、好ましくは、相対蒸気圧０．０５以上０．２０以下の範囲に、相対蒸気圧が０．１５変化したときに水の吸着量変化が０．１８ｇ／ｇ以上、好ましくは０．２０ｇ／ｇ以上である相対蒸気圧領域を有する吸着材である。
尚、本発明の水蒸気吸着等温線は、吸着温度２５℃における吸着等温線であり、相対蒸気圧と水の吸着量変化は水蒸気吸着等温線から求められる。
【００２６】
本発明の特徴の１つは上記特性を有する吸着材を用いる点にある。この吸着材は吸着ヒートポンプまたは除湿空調装置を代表とする、吸着質の吸脱着部を備えた従来公知の各種の空調装置の吸着部に使用できる。なお、該除湿空調装置とはいわゆるデシカント空調装置と同義である。また、狭い範囲の相対蒸気圧変化で大きな吸着量変化を得られることから、吸着材の充填量が限られる吸着ヒートポンプ、例えば車両用空調装置等に適している。
【００２７】
以下、上記した吸着材を用いる本発明の吸着ヒートポンプまたは除湿空調装置の作用について、図１に記載した機器構成の吸着ヒートポンプにより具体的に説明するが、本発明の吸着ヒートポンプまたは除湿空調装置はこれに限定されるものではない。
本発明の吸着ヒートポンプの一例の概念図を図１に示す。図１に示す吸着ヒートポンプは、吸着質を吸脱着可能な吸着材と、吸着材が充填され吸着質の吸脱着により発生した熱を熱媒に伝達する吸脱着部である吸着塔１および２と、吸着質の蒸発により得られた冷熱を外部へ取り出す蒸発器４と、吸着質の凝縮により得られた温熱を外部へ放出する凝縮器５から構成されている。なお、吸着ヒートポンプを操作する場合には運転に必要な吸脱着量を得られるように環境温度における吸着等温線から操作条件を求め、通常は装置を運転する上で最大の吸脱着量を得られるように決定する。
【００２８】
図４に示すごとく、吸着材が充填された吸着塔１及び２は、吸着質配管３０により相互に接続され、該吸着質配管３０には制御バルブ３１〜３４を設ける。ここで、吸着質は吸着質配管内で吸着質の蒸気または吸着質の液体及び蒸気との混合物として存在する。
吸着質配管３０には蒸発器４及び凝縮器５が接続されている。吸着塔１及び２は蒸発器４、凝縮器５の間に並列に接続されており、凝縮器５と蒸発器４の間には凝縮器にて凝縮された吸着質を蒸発器４に戻すための戻し配管３を設ける。なお、符号４１は蒸発器４からの冷房出力となる冷水の入口、符号５１は凝縮器５に対する冷却水の入口である。符号４２及び５２はそれぞれ冷水及び冷却水の出口である。また、冷水配管４１及び４２には、室内空間（空調空間）と熱交換するための室内機３００と、冷水を循環するポンプ３０１が接続されている。
【００２９】
また、吸着塔１には熱媒配管１１が、吸着塔２には熱媒配管２１がそれぞれ接続され、該熱媒配管１１及び２１には、それぞれ切り替えバルブ１１５及び１１６並びに２１５及び２１６が設けてある。また、熱媒配管１１及び２１はそれぞれ吸着塔１及び２内の吸着材を加熱または冷却するための加熱源または冷却源となる熱媒を流す。熱媒は、特に限定されず、吸着塔内の吸着材を有効に加熱・冷却できればよい。
【００３０】
温水は切り替えバルブ１１５、１１６、２１５、及び２１６の開閉により、入口１１３及び／又は２１３より導入され、各吸着塔１及び／又は２を通過し、出口１１４及び／又は２１４より導出される。冷却水も同様の切り替えバルブ１１５、１１６、２１５、及び２１６の開閉により、入口１１１及び／又は２１１より導入され、各吸着器１及び／又は２を通過し、出口１１２及び／又は２１２より導出される。また、熱媒配管１１及び／又は２１には、図示しないが外気と熱交換可能に配設された室外機、温水を発生する熱源、熱媒を循環するポンプが接続されている。熱源としては特に限定されず、例えば自動車エンジン、ガスエンジンやガスタービンなどのコジェネレーション機器および燃料電池などが挙げられ、また、自動車用として用いる時には、自動車エンジン、自動車用燃料電池が好ましい熱源の例として挙げられる。
【００３１】
図１を用いて吸着式ヒートポンプの運転方法について説明する。第１行程では制御バルブ３１及び３４を閉鎖、制御バルブ３２及び３３を解放し、吸着塔１において再生工程を、吸着塔２において吸着工程を行う。また、切り替えバルブ１１５、１１６、２１５、及び２１６を操作し、熱媒パイプ１１には温水を、熱媒パイプ２１には冷却水を流通させる。
【００３２】
吸着塔２を冷却する際には冷却塔等の熱交換器によって外気、河川水等と熱交換して冷やされた冷却水を熱媒パイプ２１を通して導入し、通常３０〜４０℃程度に冷却される。また、制御バルブ３２の開操作により蒸発器４内の水は蒸発し、水蒸気となって吸着塔２に流れ込み、吸着材に吸着される。蒸発温度での飽和蒸気圧と吸着材温度（一般的には２０〜５０℃、好ましくは２０〜４５℃、更に好ましくは３０〜４０℃）に対応した吸着平衡圧との差により水蒸気移動が行われ、蒸発器４においては蒸発の気化熱に対応した冷熱、即ち冷房出力が得られる。冷却水の温度と生成する冷水温度との関係から吸着側相対蒸気圧φ２（ここでφ２は生成する冷水温度における吸着質の平衡蒸気圧を、冷却水の温度における吸着質の平衡蒸気圧で除すことにより求める）が決定されるが、φ２は本発明で規定した吸着材が最大に水蒸気を吸着する相対蒸気圧より大きくなるよう運転することが好ましい。φ２が本発明で規定した吸着材が最大に水蒸気を吸着する相対蒸気圧より小さい場合には、吸着材の吸着能を有効に利用できず、運転効率が悪くなるからである。φ２は環境温度等により適宜設定することができるが、φ２における吸着量が通常０．２０以上、好ましくは０．２９以上、より好ましくは０．３０以上となる温度条件で吸着ヒートポンプを運転する。
【００３３】
再生工程にある吸着塔１は通常４０〜１００℃、好ましくは５０〜９８℃、更に好ましくは６０〜９５℃の温水により加熱され、前記温度範囲に対応した平衡蒸気圧になり、凝縮器５の凝縮温度３０〜４０℃（これは凝縮器を冷却している冷却水の温度に等しい）での飽和蒸気圧で凝縮される。吸着塔１から凝縮器５へ水蒸気が移動し、凝縮されて水となる。水は戻し配管３により蒸発器４へ戻される。冷却水の温度と再生に利用される熱媒（温水）温度との関係から脱着側相対蒸気圧φ１（ここでφ１は冷却水の温度における吸着質の平衡蒸気圧を、再生に利用される熱媒（温水）温度における吸着質の平衡蒸気圧で除すことにより求める）が決定されるが、φ１は本発明で規定する吸着剤が急激に水蒸気を吸着する相対蒸気圧より小さくなるよう運転することが好ましい。もし、φ１が本発明で規定する吸着剤が急激に水蒸気を吸着する相対蒸気圧より大きいと、本発明で規定する吸着剤の優れた吸着量が有効に利用できないからである。φ１は環境温度等により適宜設定することができるが、φ１における吸着量が通常０．０６以下、好ましくは０．０５以下となる温度条件で吸着ヒートポンプを運転する。なお、φ１における吸着質の吸着量とφ２における吸着質の吸着量との差が、通常０．１８ｇ／ｇ以上、好ましくは０．２０ｇ／ｇ以上、さらに好ましくは０．２５ｇ／ｇ以上となるように運転する。以上が第１行程である。
【００３４】
次の第２行程では、吸着塔１が吸着工程、吸着塔２が再生工程となるように、制御バルブ３１〜３４及び切り替えバルブ１１５、１１６、２１５、及び２１６を切り替えることで、同様に蒸発器４から冷熱、即ち冷房出力を得ることができる。以上の第１及び第２工程を順次切り替えることで吸着ヒートポンプの連続運転を行う。
【００３５】
なお、ここでは２基の吸着塔を設置した場合の運転方法を説明したが、吸着材が吸着した吸着質の脱着を適宜おこなうことにより、いずれかの吸着塔が吸着質を吸着できる状態を維持できれば吸着塔は何基設置してもよい。
【実施例】
【００３６】
以下、実施例により本発明を更に具体的に説明するが、本発明は、その要旨を越えない限り、以下の実施例により限定されるものではない。
合成例１  ＡＬＰＯ−３４の合成
ＡＬＰＯ−３４をMicroporous  and  Mesoporous  Materials  30,  (1999),  145-153にしたがって合成した。
【００３７】
８５％リン酸７．７ｇと水２０ｇの溶液にベーマイト４．６ｇ（２５％含水）を加え１時間攪拌した。これにモルホリン７．２５ｇと水３８．４ｇの溶液を加え、さらに４７％フッ化水素水溶液を加えて３時間攪拌した。これをテフロン（登録商標）内張りのステンレス製オートクレーブに仕込み、２００℃で１０日間加熱した。生成物を濾過、水洗、乾燥し、５６０℃６時間空気気流下焼成する事により、ＡｌＰＯ−３４を得た。このゼオライトのＸＲＤを測定したところ、ＣＨＡ構造であった。
合成例２  ＡＬＰＯ−１８の合成
ＡＬＰＯ−１８を特公平１−５７０４１にしたがって合成した。８５％リン酸１６．１ｇと水３０ｇの溶液にベーマイト９．５２ｇ（２５％含水）を加え、１時間攪拌した。これに３５％テトラエチルアンモニウムヒドロキシド水溶液３９．３８ｇ、３７％塩酸２．２７ｇを加え、３時間攪拌した。これをテフロン（登録商標）内張りのステンレス製オートクレーブに仕込み、１５０℃１４日間加熱した。生成物を濾過、水洗、乾燥し、５６０℃６時間空気気流下焼成する事により、ＡＬＰＯ−１８を得た。このゼオライトのＸＲＤを測定したところ、ＡＥＩ構造であった。
実施例１〜２
合成例１のＡＬＰＯ−３４（実施例１）、合成例２のＡＬＰＯ−１８（実施例２）について、以下の方法で２５℃における水蒸気吸着温線を求めた。
【００３８】
吸着等温線測定装置：ベルソーブ１８（日本ベル（株））
空気高温槽温度    ：５０℃、
吸着温度          ：２５℃、
初期導入圧力      ：３．０ｔｏｒｒ、
導入圧力設定点数  ：０、
飽和蒸気圧        ：２３．７６ｍｍＨｇ、
平衡時間          ：５００秒。
【００３９】
ＡＬＰＯ−３４の２５℃及び４０℃における水蒸気の吸着等温線を図２に示す。
図２から吸着温度２５℃における吸着等温線において、相対蒸気圧０．０６付近で急激に水蒸気を吸着しており、相対蒸気圧範囲０．０５〜０．２０の吸着量変化量は０．２４ｇ／ｇであることがわかる。尚、ＡＬＰＯ−３４のフレームワーク密度は１４．６Ｔ／１，０００Å３、細孔径は３．８×３．８Åである。又、図２に示す２５℃と４０℃での吸着等温線からクラジウス−クラペイロンの式を用いて微分吸着熱を求めると約６０kJ/molとなる。
【００４０】
ＡＬＰＯ−１８の吸着温度２５℃における水蒸気の吸着等温線を図３に示す。吸着等温線図３から相対蒸気圧０．０８付近で急激に水蒸気を吸着しており、相対蒸気圧範囲０．０５〜０．２０の吸着量変化量は０．３０ｇ／ｇであることがわかる。尚、ＡＬＰＯ−１８はフレームワーク密度が１４．８Ｔ／１，０００Å３、細孔径が３．８×３．８Åである。図３に示すとおり２５℃と４０℃での吸着等温線からクラジウス−クラペイロンの式を用いて微分吸着熱を求めると約６０kJ/molとなる。
【００４１】
参考例１
図４に、多孔質リン酸アルミニウム系モレキュラーシーブのＡＦＩ型（フレームワーク密度＝１７．３Ｔ／１，０００Å３、細孔径７．３×７．３Å）ゼオライトであるＡＬＰＯ−５の吸着等温線（Ｃｏｌｌｏｉｄ  Ｐｏｌｙｍ  Ｓｃｉ  ２７７，  ｐ８３〜８８（１９９９），  Ｆｉｇ．１（吸着温度３０℃）より引用）の吸着等温線を示す。ＡＬＰＯ−５は相対蒸気圧０．２５〜０．４０の範囲で吸着量が急激に上昇し、相対蒸気圧０．０５〜０．３の範囲で吸脱着させることは可能であるが、相対蒸気圧０．１５〜０．３０の範囲での吸着量変化は０．１４ｇ／ｇである。
【００４２】
参考例２
図５にＦＡＵ型ゼオライト１３Ｘ（フレームワーク密度＝１２．７Ｔ／１，０００Å３、細孔径７．４×７．４×７．４Å）の２５℃の吸着等温線を示す（出典：蓄熱・増熱技術（蓄熱・増熱技術編集委員会編）、株式会社アイピーシー、P342）。ＦＡＵ構造である１３Ｘはフレームワーク密度が１２．７Ｔ／１，０００Å３と小さく、かつ細孔径も７．４×７．４×７．４Åと１０Åより小さく適しているが、図５に示すように極めて低い相対蒸気圧域で吸着がおこり本発明で用いる相対蒸気圧域での吸着量差は小さく、実用に耐えない。相対蒸気圧0.05は図５では1.19Torr、相対蒸気圧0.20は4.75Toor、相対蒸気圧0.30は7.13Torrとなり、本発明で用いる0.05-0.20の範囲、図５では1.19-4.75Torrでの吸着量差は約0.06g/gである。これは13Xの微分吸着熱が全範囲において65kJ/molより大きいため、極めて低相対蒸気圧域で吸着がおこるためである。セ゛オライト13Xの微分吸着熱を図６に示す（出典：蓄熱・増熱技術（蓄熱・増熱技術編集委員会編）、株式会社アイピーシー、P342）。
【図面の簡単な説明】
【００４３】
【図１】吸着ヒートポンプの概念図である。
【図２】ＡＬＰＯ−３４の２５℃及び４０℃の水蒸気吸着等温線である。
【図３】ＡＬＰＯ−１８の２５℃及び４０℃の水蒸気吸着等温線である。
【図４】ＡＬＰＯ−５の水蒸気吸着等温線である。
【図５】ゼオライト１３Ｘの水蒸気吸着等温線である。
【図６】ゼオライト１３Ｘの微分吸着熱図である。
【符号の説明】
【００４４】
１    吸着塔
２    吸着塔
３    吸着質配管
４    蒸発器
５    凝縮器
１１  熱媒配管
１１１冷却水入口
１１２冷却水出口
１１３温水入口
１１４温水出口
１１５切り替えバルブ
１１６切り替えバルブ
２１  熱媒配管
２１１冷却水入口
２１２冷却水出口
２１３温水入口
２１４温水出口
２１５切り替えバルブ
２１６切り替えバルブ
３０  吸着質配管
３１  制御バルブ
３２  制御バルブ
３３  制御バルブ
３４  制御バルブ
３００室内機
３０１ポンプ
４１  冷水配管（入口）
４２  冷水配管（出口）
５１  冷却水配管（入口）
５２  冷却水配管（出口）
【図１】
2008275309.tif 000003
【図２】
2008275309.tif 000004
【図３】
2008275309.tif 000005
【図４】
2008275309.tif 000006
【図５】
2008275309.tif 000007
【図６】
2008275309.tif 000008